(57)【要約】【課題】  毛髪の癖付け作業に際し、一対のアームを強く握らなくても一対のアームを閉じた状態に保持させることのできるヘアーアイロンを実現する。【解決手段】  本ヘアーアイロンは、一対のアーム１ａ，１ｂを後端部１１で回動自在に連結すると共に略Ｖ字状に開いた状態に付勢させるバネＢを設ける構成にあって、一対のアーム１ａ，１ｂに磁気吸着手段を設ける。この磁気吸着手段は、一方のアーム１ａの内側面における加熱用プレート２ａの前後に１つずつ設けた永久磁石からなるマグネット７（磁性体）と、他方のアーム１ｂの内側面における加熱用プレート２ｂの前後に上記マグネット７と対向させて１つずつ設けた鉄板８（吸着体）とから構成される。これにより、アーム１ａ，１ｂを手で握って閉じて対向する加熱用プレート２ａ，２ｂ間に毛髪を挟んだ状態にすると、マグネット７と鉄板８との磁気吸着によって一対のアーム１ａ，１ｂを閉じた状態に保持できる。【選択図】  図２
2005087629.tif 000002
【特許請求の範囲】
【請求項１】
一対のアームを回動自在に連結すると共に略Ｖ字状に開いた状態に付勢させ、この一対のアームを手で握って可動させて各アームの内側面に対向させて設けた加熱用プレート間に毛髪を挟み込んで癖付けさせるヘアーアイロンにおいて、
上記アームには、その内側面に磁気吸着手段を設けたことを特徴とするヘアーアイロン。
【請求項２】
請求項１に記載のヘアーアイロンにおいて、
上記アームには、上記磁気吸着手段による磁気吸着を解除させる吸着解除手段を設けたことを特徴とするヘアーアイロン。
【請求項３】
請求項１または２に記載のヘアーアイロンにおいて、
上記吸着解除手段は、一方のアームの内側面から突出自在なピン部材と、この一方のアームに設けられ上記ピン部材を突出動作させるピン操作手段とを備えることを特徴とするヘアーアイロン。
【請求項４】
請求項１ないし３のいずれかに記載のヘアーアイロンにおいて、
上記アームには、その外側面を覆う取外し自在な断熱材を設けたことを特徴とするヘアーアイロン。
【請求項５】
請求項１ないし４のいずれかに記載のヘアーアイロンにおいて、
上記加熱用プレートに添設した加熱手段の温度調節を行う温度コントローラと、
上記加熱手段により加熱された加熱用プレートの温度を表示する温度表示器とを備えることを特徴とするヘアーアイロン。
【請求項６】
請求項１ないし５のいずれかに記載のヘアーアイロンにおいて、
上記アームの内側面には、上記加熱用プレートの側方に沿って蒸気吸込孔を設けたことを特徴とするヘアーアイロン。
【請求項７】
請求項１ないし６のいずれかに記載のヘアーアイロンにおいて、
上記アームの内側面には、上記加熱用プレートの側方に沿って静電気吸着用起毛を設けたことを特徴とするヘアーアイロン。
【発明の詳細な説明】
【技術分野】
【０００１】
本発明は、一対のアームを強く握った状態に保持しなくても楽に一対のアームを閉じた状態に保持させることのできるヘアーアイロンに関するものである。
【背景技術】
【０００２】
従来、ヘアーアイロンは、図６に示すように、一対のアーム４０１ａ，４０１ｂの後端部４１１を回動自在に連結すると共にバネＢを取り付けて付勢させて略Ｖ字状に開いた状態に維持されるようにし、また、各アーム４０１ａ，４０１ｂの前部の内側面にはそれぞれ加熱用プレート４０２ａ，４０２ｂを対向させて設けると共に一方の加熱用プレート４０２ａに面状ヒータ等の加熱手段（図示せず）を添設させた構成としている。
【０００３】
このヘアーアイロンによって毛髪の癖付けを行うには、毛髪にパーマ液を塗布した後、あるいはパーマ液を塗布せずに、一定量の毛髪（毛束）を摘んで一対のアーム４０１ａ，４０１ｂ間に配置させ、次いで、一対のアーム４０１ａ，４０１ｂを手で握って閉じさせて加熱用プレート４０２ａ，４０２ｂ間に毛束を挟み込み、この毛束を挟み込んだ状態にしばらくの間維持するか、毛束を挟み込んだ状態で一対のアーム４０１ａ，４０１ｂを毛先方向にゆっくりスライドさせて行く。これにより、毛髪が加熱用プレート４０２ａ，４０２ｂによって加熱されて癖付けされる。そして、この毛束の癖付け作業が完了すると、一対のアーム４０１ａ，４０１ｂを握っている手の力を抜いてアーム後端部４１１のバネＢの付勢力により一対のアーム４０１ａ，４０１ｂを元の開状態とし、次の毛束を一対のアーム４０１ａ，４０１ｂ間に挟み込ませてその癖付け作業を行う。このような作業を順次に繰り返し行って全体あるいは部分的に毛髪の癖付けを行う。
【特許文献１】特開２０００−２３２９１１号公報
【発明の開示】
【発明が解決しようとする課題】
【０００４】
しかしながら、上記ヘアーアイロンでは、一対のアーム４０１ａ，４０１ｂが開いた状態に維持されるようにバネＢによって付勢されているため、毛髪の癖付け作業に際して、施術者は、一対のアーム４０１ａ，４０１ｂを比較的強く握った状態に保って毛束を挟み込んだ状態に保持させる必要があるので、繰り返して毛束の挟み込み等の動作をしていると、手や肩等が非常にだるくなって疲れる。
本発明は、上記事情に鑑みてなされたものであり、毛髪の癖付け作業に際し、一対のアームを強く握らなくても一対のアームを閉じた状態に保持させることのできるヘアーアイロンを実現するものである。
【課題を解決するための手段】
【０００５】
（１）本発明（請求項１）におけるヘアーアイロンは、一対のアームを回動自在に連結すると共に略Ｖ字状に開いた状態に付勢させ、この一対のアームを手で握って可動させて各アームの内側面に対向させて設けた加熱用プレート間に毛髪を挟み込んで癖付けさせるヘアーアイロンにおいて、上記アームには、その内側面に磁気吸着手段を設けたことを特徴とするものである。これにより、一対のアームを手で握って閉じさせて対向する加熱用プレート間に毛髪を挟んだ状態にすると、上記磁気吸着手段の磁気吸着によって一対のアームを閉じた状態に保持させるか、保持させようとする。従って、一対のアームを強く握った状態に保持していなくても、一対のアームを閉じた状態のままに保持させることができ、毛髪の癖付け作業を楽に行うことができる。
【０００６】
（２）また、本発明（請求項２）におけるヘアーアイロンは、上記ヘアーアイロン（請求項１）において、上記アームには、上記磁気吸着手段による磁気吸着を解除させる吸着解除手段を設けたことを特徴とするものである。これにより、手の力を抜いても上記磁気吸着手段によって一対のアームが閉じた状態のまま保持されているときは、上記吸着解除手段を作用させることによって一対のアームを簡単に離間させることができる。従って、一つの毛束の癖付け作業が完了したとき、上記磁気吸着手段によって一対のアームが閉じた状態のままとなっていても、上記吸着解除手段を作用させることにより簡単に一対のアームを開けることができ、次の毛束の癖付け作業にも難なく移行することができる。
【０００７】
（３）また、本発明（請求項３）におけるヘアーアイロンは、上記ヘアーアイロン（請求項１または２）において、上記吸着解除手段は、一方のアームの内側面から突出自在なピン部材と、この一方のアームに設けられ上記ピン部材を突出動作させるピン操作手段とを備えることを特徴とするものである。これにより、アームに設けたピン操作手段を操作すると、一方のアームの内側面からピン部材が突き出されて他方のアームの内側面を突き放すように作用する。従って、一対のアームを握っている手の指でピン操作手段を操作することで、上記磁気吸着手段によって閉じた状態のまま保持されている一対のアームを簡単に離間させることができる。
【０００８】
（４）また、本発明（請求項４）におけるヘアーアイロンは、上記ヘアーアイロン（請求項１ないし３）において、上記アームには、その外側面を覆う取外し自在な断熱材を設けたことを特徴とするものである。これにより、加熱用プレート等から伝熱されてアームが熱くなっても、上記断熱材によってアームを握っている手が熱くなるのを防止することができ、また、毛髪の癖付け作業時に誤ってアームが頭皮や顔面等に接触しても熱い思いをしたり火傷を負うこともない。
【０００９】
（５）また、本発明（請求項５）におけるヘアーアイロンは、上記ヘアーアイロン（請求項１ないし４）において、上記加熱用プレートに添設した加熱手段の温度調節を行う温度コントローラと、上記加熱手段により加熱された加熱用プレートの温度を表示する温度表示器とを備えることを特徴とするものである。これにより、アームを握っている手元で上記加熱手段の温度調節や加熱用プレート温度の確認が簡単にできる。従って、個々人の毛髪の性質（太い・細い等）、傷み状態、仕上げるヘアースタイルなどに応じて加熱用プレート温度を加減しながら毛髪の癖付け作業を容易に行うことができる。
【００１０】
（６）また、本発明（請求項６）におけるヘアーアイロンは、上記ヘアーアイロン（請求項１ないし５）において、上記アームの内側面には、上記加熱用プレートの側方に沿って蒸気吸込孔を設けたことを特徴とするものである。これにより、パーマ液等を付けた毛髪を加熱用プレート間に挟み込んだときに発生する蒸気を加熱用プレートの側方に沿って設けた蒸気吸込孔から吸込ませることができる。従って、毛髪の癖付け時に発生する蒸気が頭皮や顔面、あるいは施術者の手等に当たって不快感を受けることもない。
【００１１】
（７）また、本発明（請求項７）におけるヘアーアイロンは、上記ヘアーアイロン（請求項１ないし６）において、上記アームの内側面には、上記加熱用プレートの側方に沿って静電気吸着用起毛を設けたことを特徴とするものである。これにより、加熱用プレート間に毛髪を挟み込んで本ヘアーアイロンをスライドさせる等の毛髪の癖付け時に生じる静電気を加熱用プレートの側方に沿って設けた静電気吸着用起毛に吸収させることができる。従って、毛髪の癖付け時の静電気の発生が防止されるので、静電気によって乱されることなくヘアースタイルの整形を行うことができ、また、毛髪からの静電気の放電による不快感を受けることもない。
【発明の効果】
【００１２】
以上のように、本発明によれば、一対のアームの内側面に磁気吸着手段を設けたことにより、一対のアームを強く握った状態に保持していなくても、一対のアームを閉じた状態のままに保持させることができ、毛髪の癖付け作業を楽に行うことができる。その結果、繰り返して毛髪の癖付け作業を行っても手や肩等の疲れを大幅に軽減することができる。
【発明を実施するための最良の形態】
【００１３】
以下に、本発明の実施の形態について添付図面を参照しながら説明する。
（実施の形態１）
図１、図２は、本発明の実施の形態１によるヘアーアイロンの構成を示す。
図１に示すように、この実施の形態１によるヘアーアイロンは、一対のアーム１ａ，１ｂをその後端部１１で回動自在に連結し、この後端部１１にバネＢ（弾性体）を取り付けて付勢させて一対のアーム１ａ，１ｂを略Ｖ字型に開いた状態に維持させている。また、各アーム１ａ，１ｂの前部１２の内側面にはそれぞれ平板状の加熱用プレート２ａ，２ｂを対向させて設けると共に、一方の加熱用プレート２ａに添設された面状ヒータ３（加熱手段）をアーム１ａ内に設けている（図２参照）。この面状ヒータ３の発熱により、これと接触する加熱用プレート２ａが加熱される。そして、アーム後端部１１には外部電源に接続する電源コード４が取り付けられている。
【００１４】
また、一方のアーム１ａの後部１３の外側面には、面状ヒータ３の温度調節を行う温度コントローラ５と、面状ヒータ３により加熱された加熱用プレート２ａの温度を表示する温度表示器６とを設けている。上記温度コントローラ５は、面状ヒータ３と外部電源との間に介在された可変抵抗等からなり、この温度コントローラ５を手元で操作することにより面状ヒータ３の温度調整が簡単に行えるようにしている。また、この温度コントローラ５が面状ヒータ３の電源ＯＮ／ＯＦＦスイッチの機能も兼ねている。上記温度表示器６は、面状ヒータ３を添設した加熱用プレート２ａに設けた感熱素子Ｓと接続されており（図２参照）、この感熱素子Ｓによって検知された加熱用プレート２ａの温度情報に基づいてこの加熱用プレート２ａの温度を表示するようにしている。これにより、加熱されている加熱用プレート２ａの温度がアーム１ａ，１ｂを握っている手元で容易に確認することができる。
【００１５】
そして、このヘアーアイロンは、上記一対のアーム１ａ，１ｂの内側面に磁気吸着手段を設けている。この磁気吸着手段としては、一方のアーム１ａの内側面における加熱用プレート２ａの前後に１つずつ設けた永久磁石からなるマグネット７（磁性体）と、他方のアーム１ｂの内側面における加熱用プレート２ｂの前後に上記マグネット７と対向させて１つずつ設けた鉄板８（吸着体）とから構成されている。これにより、アーム後端部１１に取り付けたバネＢの付勢力に抗して一対のアーム１ａ，１ｂを手で握って閉じさせて対向する加熱用プレート２ａ，２ｂ間に毛髪を挟み込ませると、上記マグネット７と上記鉄板８とが磁気吸着し、この一対のアーム１ａ，１ｂを閉じた状態に保持させることができる。
【００１６】
また、このヘアーアイロンは、一対のアーム１ａ，１ｂが閉じられたときの上記磁気吸着手段による磁気吸着を解除させる吸着解除手段９を設けている。すなわち、図２に示すように、上記吸着解除手段９としては、一方のアーム１ａの内側面から突出自在なピン部材９１と、この一方のアーム１ａに設けられて上記ピン部材９１を突出動作させるピン操作手段９２とから構成されている。上記ピン部材９１は、棒状部９１１の前後端にフランジ９１２を張り出すように設けると共に棒状部９１１にコイルバネ９１３を外装させて一方のアーム１ａの先端部に取り付けられており、常時はアーム１ａの内側面から突出することなくアーム１ａ内部に収容されるようにコイルバネ９１３によって付勢されている。上記ピン操作手段９２は、アーム１ａの外側面に露出させて配置するスイッチ９２１と、このスイッチ９２１に連設されてアーム１ａ内にスライド自在に取り付けられたスライダー９２２と、アーム１ａ内部の先端に設けられてスライダー９２２の押し付けによって回動すると共にピン部材９１を押し込むカム９２３とを備える。これにより、上記スイッチ９２１を前方にスライド操作すると一方のアーム１ａの内側面からピン部材９１が突き出されて他方のアーム１ｂの内側面を突き放すように作用する。すると、アーム後端部１１のバネＢの付勢力によって一対のアーム１ａ，１ｂが開けられる。従って、一対のアーム１ａ，１ｂを握っている手の指で上記スイッチ９２１を操作することで、上記マグネット７および上記鉄板８（磁気吸着手段）によって閉じた状態のまま保持されている一対のアーム１ａ，１ｂを簡単に離間させて開かせることができる。
【００１７】
また、このヘアーアイロンは、一対のアーム１ａ，１ｂのそれぞれにアーム前部１２の外側面を覆うことができる断熱材２０ａ，２０ｂを各アーム１ａ，１ｂに取外し自在に設けている（図１参照）。この断熱材２０ａ，２０ｂは、アーム前部１２の外形形状を模ってその先端部および両側部を包み込む袋状に形成されているが、アーム内側面の加熱用プレート２ａ，２ｂや、マグネット７、鉄板８等の配置部分を露出させるための開口２０１が設けられている。また、一方のアーム１ａ側に被せる断熱材２０ａには、外部にスイッチ９２１を露出させる窓部２０２が外側部に設けられている。そして、この断熱材２０ａ，２０ｂ自体は、例えば、アーム表面に粘着剥離可能なシリコンパッドにより形成されている。これにより、加熱用プレート２ａ，２ｂ等から伝熱されてアーム１ａ，１ｂが熱くなっても、上記断熱材２０ａ，２０ｂによってアーム１ａ，１ｂを握っている手が熱くなるのを防止することができ、また、毛髪の癖付け作業時に誤ってアーム１ａ，１ｂが頭皮や顔面等に接触しても熱い不快な思いをしたり火傷を負うこともない。なお、この断熱材２０ａ，２０ｂは、上記シリコンパッドに限らず、保形性を有する樹脂製のものをアーム１ａ，１ｂに外嵌させる形態でもよく、また、断熱材２０ａ，２０ｂの表面には起毛を形成したものでもよい。
【００１８】
以上の構成のヘアーアイロンは、以下の要領で使用に供される。まずは、従来と同様に、毛髪の癖付けに際して、毛髪にパーマ液を塗布した後、あるいはパーマ液を塗布せずに、一定量の毛髪（毛束）を摘んで一対のアーム１ａ，１ｂ間に配置させ、一対のアーム１ａ，１ｂを手で握って閉じさせて加熱用プレート２ａ，２ｂ間に毛束を挟み込み、この毛束を挟み込んだ状態で一対のアーム１ａ，１ｂを毛先方向に移動させ、毛髪を加熱して行く。このとき、一対のアーム１ａ，１ｂの内側面にマグネット７と鉄板８とが設けてあるので、一対のアーム１ａ，１ｂを手で握って閉じさせて対向する加熱用プレート２ａ，２ｂ間に毛髪を挟んだ状態にすると、一方のアーム１ａの内側面に設けたマグネット７と他方のアーム１ｂの内側面に設けた鉄板８とが磁気吸着し、一対のアーム１ａ，１ｂを閉じた状態に保持させるか、閉じた状態に保持させようとする。従って、一対のアーム１ａ，１ｂを強く握った状態に保持していなくても、一対のアーム１ａ，１ｂを閉じた状態のままに保持させることができ、この毛髪の癖付け作業を楽に行うことができる。
そして、一つの毛束の癖付け作業が完了したとき、次の毛束の癖付け作業を行うため、手の力を抜いて一対のアーム１ａ，１ｂを開状態とさせる必要があるが、このとき、マグネット７の磁力が強く後端部１１のバネＢの付勢力によっても一対のアーム１ａ，１ｂが開かず閉じた状態のまま保持されている場合は、アーム１ａに設けたスイッチ９２１を前方にスライドさせる。このスイッチ９２１のスライド操作により、一方のアーム１ａの先端内側面からピン部材９１が突き出されて他方のアーム１ｂの内側面を突き放すように作用する。すると、上記マグネット７による磁気吸着が解除され、アーム後端部１１に取り付けられたバネＢの付勢力によって一対のアーム１ａ，１ｂが開かれる。従って、一対のアーム１ａ，１ｂを握っている手の指でスイッチ９２１を操作することで、上記磁気吸着手段（マグネット７および鉄板８）によって閉じた状態のまま保持されている一対のアーム１ａ，１ｂを簡単に離間させて開けることができ、次の毛束の癖付け作業にも難なく移行することができる。
【００１９】
以上のように、この実施の形態によるヘアーアイロンによれば、一対のアーム１ａ，１ｂの内側面に上記マグネット７および上記鉄板８（磁気吸着手段）を設けることにより、一対のアーム１ａ，１ｂを強く握った状態に保持していなくても、一対のアーム１ａ，１ｂを閉じた状態のままに保持させることができ、毛髪の癖付け作業を楽に行うことができる。その結果、繰り返して毛髪の癖付け作業を行っても手や肩等が疲れることもない。特に、多数の人に対して毛髪の癖付け作業を行う美容師等にあっては、手や肩等の疲れが大幅に軽減される。
【００２０】
また、一つの毛束の癖付け作業が完了したとき、手の力を抜いても上記マグネット７および上記鉄板８（磁気吸着手段）によって一対のアーム１ａ，１ｂが閉じた状態のまま保持されているときは、上記ピン部材９１および上記ピン操作手段９２（吸着解除手段９）を作用させることによって一対のアーム１ａ，１ｂを簡単に離間させて一対のアーム１ａ，１ｂを開けることができ、次の毛束の癖付け作業にも難なく移行することができる。
【００２１】
（実施の形態２）
実施の形態２によるヘアーアイロンは、上記磁性体として、永久磁石からなるマグネット７に代えてソレノイド７Ｘ（電磁石）で構成したものである。そして、図３に示すように、ソレノイド７Ｘを設けたアーム１ａの外側面にソレノイド７Ｘへの電流印加スイッチ９Ｘを設ける。このスイッチ９ＸのＯＮ／ＯＦＦ操作によってソレノイド７Ｘの起動／停止が行える。なお、ソレノイド７Ｘが起動されると磁力が発生されて磁性体の機能を発揮する。従って、このスイッチ９Ｘが上記ピン部材９１および上記ピン操作手段９２に代わる上記吸着解除手段９ともなる。すなわち、一対のアーム１ａ，１ｂを握って手束を挟み込むときはスイッチ９ＸのＯＮ操作によりソレノイド７Ｘを起動すると磁気吸着によって一対のアーム１ａ，１ｂを閉状態に保持し、手束を開放するときはスイッチ９ＸのＯＦＦ操作によりソレノイド７Ｘを起動停止すると磁気吸着が解除されて一対のアーム１ａ，１ｂが後端部１１のバネＢの付勢力によって開状態に戻される。なお、上記ソレノイド７Ｘは、上記スイッチ９Ｘを介在させて電源と接続されるが、この電源は、外部電源でもよいし、また、アーム１ａ，１ｂ内に取り付けられる電池等でもよい。その他の構成およびその動作や効果は、上記実施の形態１と同様であるが、上記吸着解除手段９は、ソレノイド７Ｘを起動／停止させる上記スイッチ９Ｘだけで構成できる分、上記実施の形態１のものよりも構造が簡単となる。
【００２２】
なお、上記スイッチ９Ｘは、指で押込んで押下げ状態に維持することでソレノイド７Ｘが起動されるようにしてもよい。これにより、一対のアーム１ａ，１ｂによる毛束の挟み込み動作とスイッチ９Ｘの押下げ操作によるソレノイド７Ｘの起動とが一連の動作として行え、また、手の力を抜くことによる一対のアーム１ａ，１ｂでの毛束の開放動作とスイッチ９Ｘの押下げ解除によるソレノイド７Ｘの起動停止とが一連の動作として行える。従って、一対のアーム１ａ，１ｂで毛束を挟込み、次いで開放するという一連の毛髪の癖付け作業を一対のアーム１ａ，１ｂに対する挟込み及び開放動作の中で無理なく自然に行うことができる。
【００２３】
（変形例１）
上記実施の形態１，２のものにおいて、上記アーム１の内側面には、上記加熱用プレート２の側方に沿って毛髪の癖付け時に生じるパーマ液等の蒸気を吸い採るための蒸気吸込孔を設けてもよい。例えば、図４に示すように、アーム１ａの内側面における加熱用プレート２の左右両側には、それぞれ、多数の蒸気吸込孔ｈ１・・，ｈ２・・が設けられる。これら左右の蒸気吸込孔ｈ１，ｈ２は、アーム１ａを形成するケース体１０内部の左右にそれぞれ設けた空気流通路Ｌ１，Ｌ２と対応して連通される（図４（ｂ）（ｃ）を参照）。また、これら左右の空気流通路Ｌ１，Ｌ２は、切替弁Ｖを介してアーム後端から引き延ばされてポンプＰに接続されたホースＨと連通される（図４（ａ）（ｂ））。この切替弁Ｖは、左右の蒸気吸込孔ｈ１・・，ｈ２・・のどちらか一方側、あるいは両方ともにホースＨと連通させるように操作されるものである。
【００２４】
そして、上記ポンプＰを稼動させることにより、上記の蒸気吸込孔ｈ１・・，ｈ２・・を負圧にさせる。これにより、パーマ液等を付けた毛髪を一対のアーム１ａ，１ｂの加熱用プレート２ａ，２ｂ間に挟み込んだときに発生する蒸気をこの蒸気吸込孔ｈ１・・，ｈ２・・から吸込ませて外方への吹き出しを防止することができる。従って、毛髪の癖付け時に発生する蒸気が頭皮や顔面、あるいは施術者の手等に吹き付けられて熱い不快な思いをしたり火傷を負うこともない。
【００２５】
また、蒸気吸込孔ｈ１・・，ｈ２・・から蒸気が吸い込まれていないときでも上記ポンプＰを稼動させておくことで、アーム１のケース体１０内部における空気流通路Ｌ１，Ｌ２に空気の流れが起こり、ヒータ３や加熱用プレート２からの伝熱を受けるアーム外側面を空冷させることができる。これにより、毛髪の癖付け作業時に誤ってアーム１が頭皮や顔面等に接触しても熱い不快な思いをしたり火傷を負うこともない。
【００２６】
また、切替弁Ｖの操作によって左右のどちらか一方側の蒸気吸込孔ｈ１・・，ｈ２・・を負圧にできるので、施術者の利き手にかかわらず、毛髪の癖付け時に横向きにしてスライドされるヘアーアイロンのスライド方向側（通常、毛先側）に配置される側の蒸気吸込孔ｈ１・・（ｈ２・・）を負圧にすることにより、毛髪の癖付け時に発生する蒸気を効率よく吸い採ることができる。すなわち、ヘアーアイロンのスライド方向側の毛髪は、パーマ液等で湿っているのに対し、ヘアーアイロンのスライド方向と反対側の毛髪は、ヘアーアイロンで癖付けされて乾燥しているから、毛髪の癖付け時（ヘアーアイロンのスライドの最中）には、ヘアーアイロンのスライド方向側に多くの蒸気が発生されるからである。
【００２７】
なお、図４のものは、蒸気吸込孔ｈ１・・，ｈ２・・を加熱用プレート２の側方の左右両側に設けるが、片側にのみ設けるようにしてもよい。この場合、切替弁Ｖは不要となり、また、中央で分離されていた左右の空気流通路Ｌ１，Ｌ２を連通させるようにしてもよい。
【００２８】
（変形例２）
上記実施の形態１，２のものにおいて、上記アーム１の内側面には、上記加熱用プレート２の側方に沿って静電気吸着用起毛を設けてもよい。例えば、図５に示すように、アーム１ａの内側面における加熱用プレート２の左右両側には、それぞれ、多数の静電気吸着用起毛ｋ１・・，ｋ２・・が植設されている。これら左右の静電気吸着用起毛ｋ１，ｋ２は、例えば、導電性樹脂からなる繊維や非導電性樹脂にＣｕ等のメッキ等を施したものであって導電性を有し、そして、アーム１ａのケース体１０に設けられてその後端部に蓄電用コンデンサＣが接続された導電性部材Ｍと接続される（図５（ｂ）を参照）。
【００２９】
これにより、加熱用プレート２間に毛髪を挟み込んでヘアーアイロンをスライドさせる毛髪の癖付け時等に生じる毛髪の静電気を上記静電気吸着用起毛ｋ１・・，ｋ２・・に吸収させ、導電性部材Ｍを通して蓄電用コンデンサＣに集めさせることができる。従って、毛髪の癖付け時に毛髪の静電気が除去されるので、静電気によってヘアースタイルが乱されることなく整形することができ、また、毛髪からの静電気の放電による不快感を受けることもない。なお、上記蓄電用コンデンサＣに代えて、導線等からなるアース線を上記導電性部材Ｍに接続するようにしてもよい。
【００３０】
（その他）
なお、本発明は、上記各実施の形態１，２に限定されず、本発明の範囲内で種々の設計変更を施すことが可能である。例えば、上記磁気吸着手段としての磁性体（マグネット７、ソレノイド７Ｘ）および吸着体（鉄板８）は、加熱用プレート２ａ，２ｂの前部または後部のいずれかに設けるようにしてもよいし、また、加熱用プレート２ａ，２ｂの側部に設けて一対のアーム１ａ，１ｂ間に挟み込んだ毛髪に対しても磁力線を作用させるようにしてもよい。また、上記吸着体としては、上記鉄板８の他に磁気吸着されるものであれば何でも使用でき、そして、この吸着体自体も上記マグネット７（磁性体）とは異極の磁石（永久磁石またはソレノイド）を用いてもよい。さらに、上記加熱用プレート２ａ，２ｂは、平板状に限らず湾曲状、波形状等、毛髪の癖付けによるヘアースタイルに合致した種々の形状に形成されたものでもよい。
【図面の簡単な説明】
【００３１】
【図１】本発明の実施の形態１によるヘアーアイロンの全体構成を示す斜視図である。
【図２】一対のアームの全部の構造を示す一部断面図である。
【図３】本発明の実施の形態２によるヘアーアイロンの全体構成を示す斜視図である。
【図４】実施の形態１，２によるヘアーアイロンの変形例１として蒸気吸込孔を設けたものを示す模式図である。
【図５】実施の形態１，２によるヘアーアイロンの変形例２として静電気吸着用起毛を設けたものを示す模式図である。
【図６】従来のヘアーアイロンの全体構成を示す斜視図である。
【符号の説明】
【００３２】
１ａ，１ｂ  アーム
２ａ，２ｂ  加熱用プレート
３  面状ヒータ（加熱手段）
５  温度コントローラ
６  温度表示器
７  マグネット（磁性体）
７Ｘ  ソレノイド（磁性体）
８  鉄板（吸着体）
９  吸着解除手段
９Ｘ  スイッチ（吸着解除手段）
２０  断熱材
９１  ピン部材
９２  ピン操作手段
Ｂ  バネ（弾性体）
ｈ１，ｈ２  蒸気吸込孔
ｋ１，ｋ２  静電気吸着用起毛
【図１】
2005087629.tif 000003
【図２】
2005087629.tif 000004
【図３】
2005087629.tif 000005
【図４】
2005087629.tif 000006
【図５】
2005087629.tif 000007
【図６】
2005087629.tif 000008